(57)【要約】【課題】広域に設置された多数の機器の供用開始の管理が人件費コストを低廉にして簡便に行える管理装置を提供する。【解決手段】機器１の操作部材２を取り囲むベース部材３と、ベース部材３に連結され、開放位置において操作部材２を取扱い可能にするガード部材７と、ガード部材７が閉鎖位置にあるとき、ベース部材３側の受金部１５と係合してガード部材７を開放不能に錠止するラッチ部材８とからなる。ガード部材７に装備された符号合わせ錠６のスライドプレート２１はラッチ部材８に当接する。機器１ごとに符号合わせ錠６の解錠符号列が暗証番号として割り当てられており、機器１の供用開始前に正当使用権限者からの使用通告に基づいて管理者から正当使用権限者に対し暗証番号が伝達され、正当使用権限者がその暗証番号により符号合わせ錠６を解錠操作することによって、ガード部材７を開放する。【選択図】    図８
2004278018.tif 000002
【特許請求の範囲】
【請求項１】
管理対象機器１の供用開始時に最初に取扱われる操作部材２の全体または一部を取り囲むベース部材３と、
ベース部材３に開閉可能に連結され、閉鎖位置において操作部材２を取扱い不能にする一方、開放位置において操作部材２を取扱い可能にするガード部材７と、
ガード部材７が閉鎖位置にあるとき、ベース部材３側の受金部１５と係合してガード部材７をベース部材３に対して開放不能に錠止するラッチ部材８と、
ガード部材７に装備され、スライドプレート２１の先端部がラッチ部材８の基端部に当接しており、複数のダイヤル円盤４の外周面に付された符号が予め設定した解錠符号列に整列させられたときに解錠状態になり、スライドプレート２１が解錠位置に摺動可能になる一方、前記解錠符号列に整列させられないときには施錠状態に保持され、スライドプレート２１が摺動不能に拘束される符号合わせ錠６とからなり、
機器１ごとに符号合わせ錠６の解錠符号列が暗証番号として割り当てられており、機器１の供用開始前に当該機器１の正当使用権限者からの使用通告に基づいて管理者から正当使用権限者に対し当該暗証番号が伝達され、正当使用権限者が当該暗証番号により符号合わせ錠６を解錠操作することによって、ガード部材７を開放するようにした機器の供用開始管理装置。
【請求項２】
管理対象機器１の供用開始時に最初に取扱われる操作部材２の全体または一部を取り囲むベース部材３と、
ベース部材３に開閉可能に連結され、閉鎖位置において操作部材２を取扱い不能にする一方、開放位置において操作部材２を取扱い可能にするガード部材７と、
ガード部材７に装備されており、ガード部材７が閉鎖位置にあるとき、スライドプレート２１の先端部がベース部材３側の受金部１５と係合してガード部材７をベース部材３に対して開放不能に錠止し、複数のダイヤル円盤４の外周面に付された符号が予め設定した解錠符号列に整列させられたときに解錠状態になり、スライドプレート２１が解錠位置に摺動可能になる一方、前記解錠符号列に整列させられないときには施錠状態に保持され、スライドプレート２１が摺動不能に拘束される符号合わせ錠６とからなり、
機器１ごとに符号合わせ錠６の解錠符号列が暗証番号として割り当てられており、機器１の供用開始前に当該機器１の正当使用権限者からの供用開始通告に基づいて管理者から正当使用権限者に対し当該暗証番号が伝達され、正当使用権限者が当該暗証番号により符号合わせ錠６を解錠操作することによって、ガード部材７を開放するようにした機器の供用開始管理装置。
【請求項３】
ベース部材３にシリンダー錠１１が装備され、シリンダー錠１１の施錠軸１２に連動装備した回転部材１３に受金部１５が形成され、機器１の正当使用権限者に変更のあったとき、管理者または管理者から委託された係員が所定の解錠キー１４によって施錠軸１２を解錠位置に回すことによって、ガード部材７が符号合わせ錠６を解錠操作する必要なしに開放されて、管理者または前記係員によって暗証番号が設定変更されるようにしたことを特徴とする請求項１又は請求項２に記載の機器の供用開始管理装置。
【請求項４】
ダイヤル円盤４と係脱することによって解錠符号列の設定変更に使用されるカム円盤４１の周面に検知溝７１を形成し、解読用部材７２のカム円盤周面へのアクセスを可能とする開口部７３を符号合わせ錠６のケーシング１９に形成し、暗証番号が不明であるとき、開口部７３を通してカム円盤４１の周面に当接させた解読用部材７２が検知溝７１に係合するまでダイヤル円盤４を回すことによって、各ダイヤル円盤４の解錠用設定符号を検出し、暗証番号を解読するようにしたことを特徴とする請求項１、請求項２又は請求項３に記載の機器の供用開始管理装置。
【請求項５】
機器１の正当使用権限者から管理者への供用開始通告と、管理者から当該正当使用権限者への暗証番号の伝達が電気通信回線を介してなされることを特徴とする請求項１、請求項２、請求項３又は請求項４に記載の機器の供用開始管理装置。
【発明の詳細な説明】
【０００１】
【発明の属する技術分野】本発明は、大規模事業所の広大な敷地内に配備された各種の機器あるいは広域のサービス業務地域に設置された各種の機器の供用開始を一元管理する装置に関するものである。
【０００２】
【従来の技術】所要の資格能力を有する者、あるいは所定の使用料金支払い契約を完了した者等の特定者に対して使用権限を付与し、この正当使用権限者以外の者による機器へのアクセスや供用開始を禁止する一般的な方法としては、前記正当使用権限者の供用開始の通告を受けて管理者又は管理者から委託を受けた係員が目的の機器の設置場所に巡回して、当該機器の操作部材の封印を解除し、当該正当使用権限者の異動転出に伴なう供用停止時には、前記管理者又は係員が再び機器の設置場所に赴き、封印を前記操作部材に施すことが行われている。
【０００３】
しかしながら、この方法では正当使用権限者の変更の度に管理者や係員が機器の設置現場に出向く必要があるため、人件費コストが嵩むものとなっている。また、単に封印部材を前記操作部材に施しているだけであるから、封印部材を意図的に解除して供用開始しようと企図する悪意の者に対する抑止力は無かった。
【０００４】
正当使用権限者以外の者による機器の供用開始を的確に禁圧するより厳格な方法としては、機器の操作部材それ自体、または機器の格納ボックスや制御パネル、あるいは機器の設置部屋や隔離室の出入り口扉等に管理用錠を装備し、供用開始の通告をした正当使用権限者に対し管理者が前記管理用錠の解錠キーを交付し、当該正当使用権限者がその解除キーを使用して管理用錠を解錠し、目的の機器の前記操作部材にアクセスする方法がある（例えば特許文献１参照）。
【０００５】
しかしながら、この方法では、管理者が一元管理する機器が多数ある場合、どの機器のどの管理用錠にどの解錠キーが使用されるものであるかを、解錠キーの実物を個別的に整理して配列管理する必要があるため、解錠キーそれ自体の分類管理が非常に煩雑となり、解錠キーの誤交付による混乱や苦情が少なからず発生した。また、分類保管用のキーボックスや整理パネルが占める物理的空間が大きくなり、スペース的な無駄が多かった。
【０００６】
【特許文献１】特開平０７−２６５１９１号公報
【０００７】
【発明が解決しようとする課題】したがって本発明の目的は、広域に設置された多数の機器について正当使用権限者以外の者による供用開始を的確に禁止でき、管理に用する人件費コストを低廉化し、管理手法が簡便である供用開始管理装置を提供することである。
【０００８】
【課題を解決するための手段】請求項１の発明に係る機器の供用開始管理装置は、
管理対象機器１の供用開始時に最初に取扱われる操作部材２の全体または一部を取り囲むベース部材３と、
ベース部材３に開閉可能に連結され、閉鎖位置において操作部材２を取扱い不能にする一方、開放位置において操作部材２を取扱い可能にするガード部材７と、
ガード部材７が閉鎖位置にあるとき、ベース部材３側の受金部１５と係合してガード部材７をベース部材３に対して開放不能に錠止するラッチ部材８と、
ガード部材７に装備され、スライドプレート２１の先端部がラッチ部材８の基端部に当接しており、複数のダイヤル円盤４の外周面に付された符号が予め設定した解錠符号列に整列させられたときに解錠状態になり、スライドプレート２１が解錠位置に摺動可能になる一方、前記解錠符号列に整列させられないときには施錠状態に保持され、スライドプレート２１が摺動不能に拘束される符号合わせ錠６とからなり、
機器１ごとに符号合わせ錠６の解錠符号列が暗証番号として割り当てられており、機器１の供用開始前に当該機器１の正当使用権限者からの使用通告に基づいて管理者から正当使用権限者に対し暗証番号が伝達され、正当使用権限者が当該暗証番号により符号合わせ錠６を解錠操作することによって、ガード部材７を開放するものである。
【０００９】
請求項２の発明の供用開始管理装置は、管理対象機器１の供用開始時に最初に取扱われる操作部材２の全体または一部を取り囲むベース部材３と、
ベース部材３に開閉可能に連結され、閉鎖位置において操作部材２を取扱い不能にする一方、開放位置において操作部材２を取扱い可能にするガード部材７と、
ガード部材７に装備されており、ガード部材７が閉鎖位置にあるとき、スライドプレート２１の先端部がベース部材３側の受金部１５と係合してガード部材７をベース部材３に対して開放不能に錠止し、複数のダイヤル円盤４の外周面に付された符号が予め設定した解錠符号列に整列させられたときに解錠状態になり、スライドプレート２１が解錠位置に摺動可能になる一方、前記解錠符号列に整列させられないときには施錠状態に保持され、スライドプレート２１が摺動不能に拘束される符号合わせ錠６とからなり、
機器１ごとに符号合わせ錠６の解錠符号列が暗証番号として割り当てられており、機器１の供用開始前に当該機器１の正当使用権限者からの供用開始通告に基づいて管理者から正当使用権限者に対し暗証番号が伝達され、正当使用権限者が当該暗証番号により符号合わせ錠６を解錠操作することによって、ガード部材７を開放するものである。
【００１０】
請求項３の発明の供用開始管理装置は、請求項１または請求項２の発明の前記構成に加えて、ベース部材３にシリンダー錠１１が装備され、シリンダー錠１１の施錠軸１２に連動装備した回転部材１３に前記受金部１５が形成され、機器１の正当使用権限者に変更のあったとき、管理者または管理者から委託された係員が所定の解錠キー１４によって施錠軸１２を解錠位置に回すことによって、ガード部材７が符号合わせ錠６を解錠操作する必要なしに開放されて、管理者または前記係員によって暗証番号が設定変更されるものである。
【００１１】
請求項４の発明の供用開始管理装置は、請求項１、請求項２または請求項３の発明の前記構成に加えて、ダイヤル円盤４と係脱することによって解錠符号列の設定変更に使用されるカム円盤４１の周面に検知溝７１を形成し、解読用部材７２のカム円盤周面へのアクセスを可能とする開口部７３を符号合わせ錠６のケーシング１９に形成し、暗証番号が不明であるとき、開口部７３を通してカム円盤４１の周面に当接させた解読用部材７２が検知溝７１に係合するまでダイヤル円盤４を回すことによって、各ダイヤル円盤４の解錠用設定符号を検出し、暗証番号を解読するものである。
【００１２】
請求項５の発明の供用開始管理装置は、請求項１、請求項２、請求項３または請求項４の発明の前記構成に加えて、機器１の正当使用権限者から管理者への供用開始通告と、管理者から当該正当使用権限者への暗証番号の伝達が電気通信回線を介してなされるものである。
【００１３】
【発明の作用】本発明の供用開始管理装置では、所要の資格審査または契約手続等を経て機器１の管理者から機器１の使用権限を付与された者は、機器１の供用を開始するに当っては、当該機器１の設置場所より適当な電気通信回線、通常の場合には携帯電話を介して管理者に供用開始したい旨を通告する。この通告を受けた管理者は、通告時に知らされた機器番号を管理用コンピュータに入力し、それに記憶されているデータファイルから、当該機器１のガード部材７に装備された符号合わせ錠６の解錠符号列を検索し、当該解錠符号列を暗証番号として正当使用権限者に携帯電話を介して伝達する。
【００１４】
このようにして暗証番号を告知された正当使用権限者は、複数のダイヤル円盤４の外周面に付された符号の組合せ順列からなる符号列が、自分に割当て伝達された暗証番号の符号列と一致するように、複数のダイヤル円盤４を適宜に正逆回転させる。
各ダイヤル円盤４の符号が割り当ての解錠符号列に配列されたとき、符号合わせ錠６は解錠状態となる。この解錠状態においては、スライドプレート２１は摺動可能な状態になっているから、図７に示したようにラッチ部材８を受金部１５から離れる方向に移動させると、ラッチ部材８とスライドプレート２１が一体的に解錠位置に移動し、ベース部材３に対するガード部材７の拘束が解除される。
【００１５】
ガード部材７が開放位置に回転させられると、ガード部材７による操作部材２の拘束が解除されるため、この操作部材２の取り扱いによって機器１の供用が開始される。
機器１の供用を開始した後、他者に暗証番号を察知されることがないようにするため、符号合わせ錠６の各ダイヤル円盤４はアットランダムに適宜角度回される。そのため、暗証番号を知らない他者は、符号合わせ錠６を解錠してガード部材７を開放し、機器１の操作部材２にアクセスすることが阻止される。
【００１６】
正当使用権限者の異動転出等によって機器１の使用者が変更された場合には、正当使用権限を喪失した前の使用者が無断で機器１の供用を再開しないようにするため、管理者または管理者から委託された係員が機器１の設置場所に赴き、解錠キー１４をシリンダー錠１１に挿入し、シリンダー錠１１の施錠軸１２を解錠方向に回す。この回転操作によって施錠軸１２に連動装備した回転部材１３が解錠位置に移動するため、回転部材１３に形成されている受金部１５がラッチ部材８（請求項２の発明ではスライドプレート２１の先端部）から離脱する。
これによってガード部材７は、暗証番号によって符号合わせ錠６を解錠操作する必要なしに一気に開放され、その後、管理者または前記係員によって解錠符号列すなわち暗証番号が設定変更される。新しい暗証番号は、機器番号に関連づけて前記データファイルに登載され、以前の記録が削除される。
【００１７】
データファイルの破損等によって暗証番号が不明になり、暗証番号経由ではガード部材４を開放できなくなったときには、管理者または管理者から委託された係員は、前記のように解錠キー１４を使用することによってガード部材７を開放した後、符号合わせ錠６のケーシング１９の開口部７３から解読用部材７２を挿入し（図２５及び図２６の▲１▼の過程）、解読用部材７２の先端部をカム円盤４１の周面に当接させる（図２５及び図２６の▲２▼の過程）。解読用部材７２の挿入位置を一定に保ちながらダイヤル円盤４を回し、解読用部材７２の先端部をカム円盤４１の検知溝７１に係合させる（図２５及び図２６の▲３▼の過程）。そして、解読用部材７２と検知溝７１が係合したときにケーシング１９の符号表示窓３５の正規位置に表示された符号が、解錠用に設定されている符号として記憶または記録される。
【００１８】
この手順を全部のダイヤル円盤４について繰り返すことによって、各ダイヤル円盤４について解錠用に設定された符号が検出される。これらの検出された解錠用符号を順に並べることによって、その符号合わせ錠６について当初に設定された解錠符号列を確認することができ、正規の暗証番号としてデータファイルに登載される。
【００１９】
【発明の実施の形態】図示の実施例では、管理対象の機器１は機器格納ボックス９内に格納されており、機器１を供用開始するために最初に取り扱われるべき操作部材２は、機器格納ボックス９の扉パネル１０に装備されている扉用ロックハンドル装置である。この扉用ロックハンドル装置は、閉鎖位置に回転させた扉パネル１０を機器格納ボックス９の固定枠体に対して開放不能に拘束するために使用されるものであり、図２及び図３に示したように受座本体１６は扉パネル１０の取付孔２３に正面側から嵌め込まれ、外周螺子部に螺合した締付ナット２４によって扉パネル１０に固着されている。受座本体１６に回転可能に支持された操作ハンドル１７の回転軸部１８には、ロック板２７が相対回転不能に嵌合され、締付ナット７９によって回転軸部１８に固着されている。ロック板２７の先端部には連動ロッドとラッチ体を含む公知の錠止機構（図示していない）が連動装備されており、操作ハンドル１７を握って所定角度回すと、前記錠止機構のラッチ体が前記固定枠体側の受金部（図示していない）に係脱して、扉パネル１０を機器格納ボックス９に対して施錠または解錠する。
【００２０】
ベース部材３とガード部材７は箱型に構成されており、図３及び図４に示したようにベース部材３の外側にガード部材７が嵌め合わされている。ベース部材３の背面壁板部２８は締付ビス２９によって扉パネル２１の正面側に固着され、ガード部材７は、ガード部材７の左右壁板部３０とベース部材３の左右壁板部３１を通る水平枢軸３２によってベース部材３に連結されている。符号合わせ錠６のケーシング１９は、ガード部材７の正面壁板部３３の取付孔３４に嵌め込んでビス８０によって固着されており、ケーシング１９には符号合わせ錠６のダイヤル円盤４の表示窓部３５とラッチ部材６を隠蔽するカバー部材３６が水平枢軸３７によって連結されている。
【００２１】
ガード部材７が閉鎖位置に拘束されているとき、図１及び図２に示したように操作ハンドル１７の握り部はベース部材３及びガード部材７の左側方に水平に突出しており、ガード部材７の側壁板部３０の背面側縁部に形成した抑止部３８が干渉することによって、操作ハンドル１７の解錠方向への回転が阻止されている。ラッチ部材８は符号合わせ錠６のケーシング１９内に上下方向に摺動可能に収納され、その正面側に摘み部６９が突設されている。
【００２２】
ベース部材３の上面壁板部７０の取付孔７８にはシリンダー錠１１の固定外筒７４が嵌め込まれ、外周螺子部に螺合した締付ナット７５によってシリンダー錠１１がベース部材３に固着されている。シリンダー錠１１の施錠軸１２の先端部には、板状の回転部材１３が相対回転不能に嵌められ、ビス７６によって固着されている。受金部１５は回転部材１３の先端部の下面側に形成されている。解錠キー１４を施錠軸１２の鍵孔７７に挿入して内部錠機構を解錠方向に駆動し、解錠キー１４によって施錠軸１２を回したとき、図２に示したように回転部材１３は水平面内において旋回し、受金部１５がラッチ部材８（別の実施例では、スライドプレート２１の延長先端部）から離脱する。
【００２３】
図１２以降に詳細に示してあるように符号合わせ錠６は、外周面に数字などの符号を複数個等角度間隔に表示してあるダイヤル円盤４と、ダイヤル円盤４の中央透孔４０に嵌挿して積層される短筒状のカム円盤４１と、カム円盤４１の中央軸孔４２に挿通される丸棒状の中心軸２０と、ダイヤル円盤４とカム円盤４１の積層体をラッチ体６の方向に移動付勢する圧縮コイルバネ４３と、ダイヤル円盤４の一部が嵌め込まれる矩形開口部４４を有するロックプレート５を主要部品としている。
【００２４】
図１６から図１９に示したようにダイヤル円盤４の中央透孔４０は小径孔部４０ａとその両側の大径孔部４０ｂ、４０ｃとで構成されている。定常状態では、圧縮コイルバネ４３の付勢によって、カム円盤４１の小径筒部４１ａがダイヤル円盤４の小径孔部４０ａに嵌挿され、一方の大径孔部４０ｃから突き出ている。カム円盤４１の大径鍔部４１ｂは、ダイヤル円盤４の他方の大径孔部４０ｂに嵌っており、大径鍔部４１ｂの端面には隣接のカム円盤４１の小径筒部４１ａの端面が当接している。ダイヤル円盤４の円周の一部は、ケーシング１９の正面側の横長スロット６８から突き出ている。
【００２５】
カム円盤４１の小径筒部４１ａの根元部周面には、図２０から図２２に示したように左右各側に３個の連動突起４５が所定間隔で形成されている。ダイヤル円盤４の小径孔部４０ａの内周面には、外周面に符号の数に等しい数、すなわち１０個の連動溝４６が等間隔に形成されており、前記連動突起４５が連動溝４６に係合することによって、ダイヤル円盤４とカム円盤４１は一体的に結合される。
【００２６】
ダイヤル円盤４とカム円盤４１との位相は、カム円盤４１をダイヤル円盤４の軸方向に連動溝４６の軸方向長さ分だけ移動させて、連動溝４６と連動突起４５との係合を解除させ、その後、連動溝４６の設置間隔の整数倍の角度だけ相対回転させ、その後、カム円盤４１をダイヤル円盤４に向かって移動させることによって適宜変更される。これによって解錠符号列すなわち暗証番号の設定変更がなされる。
【００２７】
カム円盤４１の大径鍔部４１ｂの周面の一部は扇形に切り欠きされ、左右２個のＶ字状角部４７が形成されている。ロックプレート５には、前記矩形開口部４４の間の板部分にＶ字状の受溝４８が左右２個形成されている。この受溝４８に前記角部４７が係合しているとき、ロックプレート５は、錠止端部２５がスライドプレート２１の制止部２６に係合しないレベル位置にある。角部４７が受溝４８から脱出して、両受溝間の山部に大径鍔部４１ｂの円周面が当たることによって、ロックプレート５は、錠止端部２５にスライドプレート２１の制止部２６が当たる位置まで回動することになる。
【００２８】
ロックプレート５の各末端部には、支軸突起４９ａ，４９ｂが錠止端部２５の反対側に形成されている。一方の支軸突起４９ａはバックプレート部材３９の立ち上がり壁板部５０によって支持されており、他方の支軸突起４９ｂは、バックプレート部材３９に固定された仕切り壁板５１の透孔５２に支持されている。ロックプレート５は圧縮コイルバネ５３によって、錠止端部２５がスライドプレート２１の制止部２６に係合しない位置に跳ね上げられている。
【００２９】
符号合わせ錠６の中心軸２０は、バックプレート部材３９の前記立ち上がり壁板部５０に形成した軸孔５４と、前記仕切り壁板５１に形成した軸孔５５に挿入されている。ダイヤル円盤４とカム円盤４１の付勢用圧縮コイルバネ４３は、中心軸２０に嵌められ、末端のカム円盤４１と立ち上がり壁板部５０との間で圧縮されている。
スライドプレート２１は板部材で構成され、バックプレート部材３９に沿って摺動する。バックプレート部材３９の主体部分と側壁板部にはガイド突起５６が内向きに形成されている。バックプレート部材３９にはバネ受け突起５７が切り起こされており、スライドプレート２１には、ガイド突起５６が係合するガイド溝５８を形成してある。また、スライドプレート２１にはバネ受け突起５９が切り起こされており、前記バネ受け突起５７，５９には、スライドプレート２１をラッチ体６に向かって付勢するために圧縮コイルバネ２２が嵌められている。
【００３０】
スライドプレート２１には、前記圧縮コイルバネ５３と仕切り壁板５１のための逃げ用開口部６０が形成されている。この逃げ用開口部６０に対面するバックプレート部材３９には、Ｌ字状の開口部６１が形成されている。
符号合わせ錠６の中心軸２０には、別の末端のカム円盤４１と当接する鍔部２０ａが形成されており、この鍔部２０ａと仕切り壁板５１との間には、リセットレバー６２の基端リング部６３が嵌められている。リセットレバー６２の摘み部６４は、定常状態では前記開口部６１の縦長部６１ａに通されている。
【００３１】
前記リセット操作時や、解錠符号列の設定変更時には、バックプレート部材３９の背面側に突出しているリセットレバー６２の摘み部６４を押して、カム円盤４１の連動突起４５がダイヤル円盤４の連動溝４６から離脱するようにカム円盤４１の積層体を移動させ、この移動状態を維持するためにリッセトレバー６２を若干倒して摘み部６４を前記開口部６１の横長部６１ｂに係合させる。
カム円盤４１と分離したダイヤル円盤４を適宜回した後、カム円盤４１の連動突起４５とダイヤル円盤４の連動溝４６を別位相にて再係合させることによってすことによって、解錠符号列が設定変更される。
【００３２】
カム円盤４１の外周面には、符号の数に等しい数の位置決め溝６５が符号の間に等間隔に形成されている。ダイヤル円盤４の姿勢保持用板バネ部材６６がバックプレート部材３９の側壁板部に固着されており、板バネ部材６６の先端突起部６７が前記位置決め溝６５に弾性係合する。
シリンダー錠１１の内部錠機構としては公知のディスクタンブラ錠機構が使用されている。内部錠機構としては、ピンタンブラ錠機構などの他の錠機構を使用することもできる。
【００３３】
検知溝７１はカム円盤４１の前記小径筒部４１ａに形成されており、解読用部材７２を通すための開口部７３はケーシング１９の横側壁部１９ａに形成されている。バックプレート部材３９の側壁板部には、該開口部７３に連通するガイド孔８１を形成してある。解読用部材７２は帯板状本体に摘み部を一体に形成したものであり、検知溝７１に係合する先端部は上向きに屈曲されている。
【００３４】
カム円盤４１は、前記大径鍔部４１ｂの左右２個のＶ字状角部４７，４７がロックプレート５の左右２個のＶ字状受け溝４８に係合することによって、ロックプレート５の錠止端部２５がスライドプレート２１の制止部２６に非係合のレベル位置に来て、符号合わせ錠６を解錠状態にするものであるが、カム円盤４１に形成される検知溝７１は、この解錠状態においてケーシング１９の開口部７３から解読用部材７２を挿入すれば、解読用部材７２の先端部が係合する位置に形成されている。
【００３５】
解錠符号列の設定変更は、カム円盤４１を中心軸２０に沿って連動溝４６の軸方向長さ分だけ移動させて、ダイヤル円盤４の連動溝４６とカム円盤４１の連動突起４５との係合を解除させ、その後、連動溝４６の設置間隔の整数倍の角度だけ相対回転させ、その後、カム円盤４１をダイヤル円盤４に向かって復帰移動させることによってなされるのであるが、この段階でケーシング１９の符号表示部である横長スロット６８の中央部に表示されているダイヤル円盤４の符号が、解錠用に設定された符号となる。
その後、第三者に解錠符号列を知られて不正解錠されることがないようにするため、各ダイヤル円盤４が無作為的な任意角度に回される。
【００３６】
したがって正当使用権限者が機器１の供用開始に当って符号合わせ錠６を解錠するには、各ダイヤル円盤４の前記解錠用に設定された符号が、前記横長スロット６８の中央部に表示されるようにダイヤル円盤４を適宜に正逆回転させればよく、全てのダイヤル円盤４について解錠用符号が符号表示部に表示されたとき、全てのカム円盤４１の検知溝７１がケーシング１９の解読用部材挿入用の開口部７３に対面した位置に来ていることになる。
そのため、暗証番号である解錠符号列が不明になったときには、ダイヤル円盤４とカム円盤４１を一体に回転させ、前記検知溝７１に解読用部材７２を係合させることによって解錠符号列を検出することができる。
【００３７】
解読用部材７２は挿入方向と深さ位置を一定に保つために、前記開口部７３の一側の内壁面に沿って挿入される。ダイヤル円盤４を回すとき、解読用部材７２は先端屈曲部が小径筒部４１ａの周面に押し当てられる。解読用部材７２の形状と寸法は図示のものに限定されず、前記開口部７３を通してカム円盤４１の周面にアクセスできるように設定された種々の形態のものを使用することができる。
【００３８】
図２７に示した実施例では、上記実施例よりラッチ部材８が省略されており、符号合わせ錠６のスライドプレート２１の先端部を延長形成して、受金部１５に係合させている。その他の構成と作用は上記実施例と同様であるので、説明は省略する。
上記各実施例では、管理対象の機器１と操作部材２は、物理的空間として分離配置された別個独立の物体として記述したが、機器１と操作部材２は物理的空間として同一箇所に集約配置された２個の物体として存在することもでき、あるいは機器１と操作部材２は一体物として統合された自己完結型の存在とすることもできる。機器１としては、各種工場や処理施設に設置されている各種の機械器具や装置、それら機械等の電源投入部、運転制御部、集合住宅や一戸建て住宅の給水配管の元栓、給電設備の開閉器等が含まれる。
【００３９】
【発明の効果】請求項１の発明の供用開始管理装置は、機器１の操作部材２の全体または一部がベース部材３によって取り囲まれ、ベース部材３に連結されたガード部材７が閉鎖位置において操作部材２を取扱い不能に拘束し、ガード部材７が閉鎖位置にあるとき、ベース部材３側の受金部１５と係合するラッチ部材８に対して、ガード部材７に装備した符号合わせ錠６のスライドプレート２１を当接させたものであり、機器１ごとに符号合わせ錠６の解錠符号列が暗証番号として割り当てられ、使用通告に基づいて管理者から伝達された暗証番号を用いて、正当使用権限者自らが符号合わせ錠６を解錠操作することによって、スライドプレート２１を摺動可能にしてガード部材７を開放するものであるから、管理者や係員が機器１の設置場所にわざわざ出向く必要なしに機器１の供用開始を行うことができ、人件費コストをその分だけ節減することができる。
また、機器１の操作部材２はガード部材７によって拘束されており、この拘束は符号合わせ錠６によって厳格に保持されているから、正当使用権限者以外の者による機器１へのアクセスと無断の供用開始は厳格に禁止される。
さらにまた、従来方法のようにキーボックスに多数の解錠キーの実物を分類管理するのではなく、一定の数列よりなる暗証番号として分類管理するものであるから、例えば多数の暗証番号をパソコンのデータファイルに登載して置き、正当使用権限者が通告して来た機器番号を入力して当該機器の暗証番号を検索するようにデータシステムを構築することなどによって、管理対象機器１が非常に多数存在していても、供用開始管理を物理的スペースが小さい態様で非常に簡便かつ正確に行うことができる。
【００４０】
請求項２の発明の供用開始管理装置では、請求項１の発明の前記効果に加えて、ガード部材７が閉鎖位置にあるとき、スライドプレート２１の先端部がベース部材３側の受金部１５と直接に係合して、ガード部材７を開放不能に錠止するものであるから、構成が簡略化されて部品点数が減少し、装置全体の製作コストを節減することができる。
【００４１】
請求項３の発明の供用開始管理装置では、請求項１又は請求項２の発明の前記効果に加えて、ベース部材３にシリンダー錠１１が装備され、シリンダー錠１１の施錠軸１２に連動装備した回転部材１３に前記受金部１５が形成されており、正当使用権限者に変更のあったとき、管理者または係員が所定の解錠キー１４によって施錠軸１２を解錠位置に回すことによって、ガード部材７が符号合わせ錠６を解錠操作する必要なしに開放され、管理者または係員によって暗証番号の設定変更が実行されるものであるから、異動転出等により正当使用権限を喪失した者による機器１の無断の供用再開を的確に禁止することができ、次の正当使用権限者が到来したときの準備作業を広く開放されたスペースで円滑に行うことができる。
【００４２】
請求項４の発明の供用開始管理装置では、請求項１、請求項２または請求項３の発明の前記効果に加えて、ダイヤル円盤４と係脱して解錠符号列の設定変更に使用されるカム円盤４１の周面に検知溝７１を形成してあり、暗証番号が不明であるときには、符号合わせ錠６のケーシング１９の開口部７３を通して解読用部材７２を挿入し、解読用部材７２の先端部が検知溝７１に係合するまでダイヤル円盤４を回すという簡単な操作によって、暗証番号である解錠符号列を順次検出することができるため、暗証番号が不明な場合にも符号合わせ錠６を再使用可能な状態に回復することができる。
【００４３】
請求項５の発明の供用開始管理装置では、請求項１、請求項２、請求項３または請求項４の発明の前記効果に加えて、機器１の正当使用権限者から管理者への供用開始通告と、管理者から正当使用権限者への暗証番号の伝達が電気通信回線を介してなされるため、通告と伝達が簡便かつ的確に低コストで行える。
【図面の簡単な説明】
【図１】本発明の一実施例に係る機器の供用開始管理装置の正面図であり、ガード部材の正面開口部がカバー部材で閉塞されている状態を示している。
【図２】図１の供用開始管理装置の使用状態を示す平面図である。
【図３】図１のＡ−Ａ線に沿った中央縦断面図であり、ラッチ部材によってガード部材がベース部材に閉鎖位置に拘束されている状態を示している。
【図４】図１の供用開始管理装置の一部を水平断面図であり、操作部材の大部分がベース部材とガード部材に包囲されている状態を示している。
【図５】図１の状態からカバー部材を開放したときにおける供用開始管理装置の正面図である。
【図６】図３の状態からカバー部材を開放したときにおける供用開始管理装置の中央縦断面図である。
【図７】図６の状態から符号合わせ錠を解錠し、ラッチ部材を解錠位置に移動させたときにおける供用開始管理装置の中央縦断面図である。
【図８】図７の状態からガード部材を開放位置に回転させたときにおける供用開始管理装置の中央縦断面図である。
【図９】図３の状態においてシリンダー錠に解錠キーを挿入する直前における供用開始管理装置の中央縦断面図である。
【図１０】図９の状態からシリンダー錠に挿入した解錠キーを回してラッチ部材と受金部の係合を解除させたときにおける供用開始管理装置の中央縦断面図である。
【図１１】図１０の状態からガード部材を開放位置に回転させたときにおける供用開始管理装置の中央縦断面図である。
【図１２】図１の供用開始管理装置に組込んだ符号合わせ錠の正面図であり、図示の簡略化のためダイヤル円盤の符号は省略されている。
【図１３】図１２のＢ−Ｂ線断面図である。
【図１４】図１２のＣ−Ｃ線断面図である。
【図１５】図１２のＤ−Ｄ線断面図である。
【図１６】図１２のＥ−Ｅ線断面図である。
【図１７】図１２のＦ−Ｆ線断面図である。
【図１８】図１２の符号合わせ錠に使用したダイヤル円盤の正面図である。
【図１９】図１８のＧ−Ｇ線断面図である。
【図２０】図１２の符号合わせ錠に使用したカム円盤の正面図である。
【図２１】図２０のカム円盤の平面図である。
【図２２】図２０のＨ−Ｈ線断面図である。
【図２３】図１３のＩ−Ｉ線断面図である。
【図２４】図１２の符号合わせ錠の左側面図である。
【図２５】図２４のＪ−Ｊ線に沿った概略的な断面図である。
【図２６】暗証番号不明時になされるリセット部材による検出手順を示す説明図である。
【図２７】本発明の別の実施例に係る供用開始管理装置の中央縦断面であり、独立のラッチ部材は省略されている。
【符号の説明】
１    機器
２    操作部材
３    ベース部材
４    符号合わせ錠のダイヤル円盤
５    符号合わせ錠のロックプレート
６    符号合わせ錠
７    ガード部材
８    ラッチ部材
９    機器格納ボックス
１０    扉パネル
１１    シリンダー錠
１２    シリンダー錠の施錠軸
１３    回転部材
１４    シリンダー錠の解錠キー
１５    受金部
１６    操作部材の受座本体
１７    操作ハンドル
１８    操作ハンドルの回転軸部
１９    符号合わせ錠のケーシング
１９ａ  ケーシングの横側壁部
２０    符号合わせ錠の中心軸
２０ａ  中心軸の鍔部
２１    符号合わせ錠のスライドプレート
２２    スライドプレート付勢用の圧縮コイルバネ
２３    操作部材の取付孔
２４    締付ナット
２５    ロックプレートの錠止端部
２６    スライドプレートの制止部
２７    ロック板
２８    ベース部材の背面壁板部
２９    ベース部材の固定用ビス
３０    ガード部材の左右壁板部
３１    ベース部材の左右壁板部
３２    ガード部材の水平枢軸
３３    ガード部材の正面壁板部
３４    符号合わせ錠の取付孔
３５    ダイヤル円盤用表示窓部
３６    符号合わせ錠のカバー部材
３７    カバー部材の水平枢軸
３８    ガード部材の抑止部
３９    符号合わせ錠のバックプレート部材
４０    ダイヤル円盤の中央透孔
４０ａ  中央透孔の小径孔部
４０ｂ  中央透孔の大径孔部
４０ｃ  中央透孔の大径孔部
４１    符号合わせ錠のカム円盤
４１ａ  カム円盤の小径筒部
４１ｂ  カム円盤の大径鍔部
４２    カム円盤の中央軸孔
４３    円盤積層体付勢用の圧縮コイルバネ
４４    ロックプレートの矩形開口部
４５    カム円盤の連動突起
４６    ダイヤル円盤の連動溝
４７    カム円盤のＶ字状角部
４８    ロックプレートのＶ字状受溝
４９ａ  ロックプレートの支軸突起
４９ｂ  ロックプレートの支軸突起
５０    バックプレート部材の立ち上がり壁板部
５１    仕切り壁板
５２    仕切り壁板の透孔
５３    ロックプレート付勢用の圧縮コイルバネ
５４    立ち上がり壁板部の軸孔
５５    仕切り壁板の軸孔
５６    バックプレート部材のガイド突起
５７    バックプレート部材のバネ受け突起
５８    スライドプレートのガイド溝
５９    スライドプレートのバネ受け突起
６０    スライドプレートの逃げ用開口部
６１    バックプレート部材のＬ字状開口部
６１ａ  開口部の縦長部
６１ｂ  開口部の横長部
６２    リセットレバー
６３    リセットレバーの基端リング部
６４    リセットレバーの摘み部
６５    カム円盤の位置決め溝
６６    ダイヤル円盤の姿勢保持用板バネ部材
６７    板バネ部材の先端突起部
６８    ケーシングの横長スロット
６９    ラッチ部材の摘み部
７０    ベース部材の上面壁板部
７１    検知溝
７２    解読用部材
７３    解読用部材の挿入用開口部
７４    シリンダー錠の固定外筒
７５    シリンダー錠の締付ナット
７６    回転部材の固定用ビス
７７    シリンダー錠の鍵孔
７８    シリンダー錠の取付孔
７９    ロック板の締付ナット
８０    符号合わせ錠の固着用ビス
８１    バックプレート部材のガイド孔
【図１】
2004278018.tif 000003
【図２】
2004278018.tif 000004
【図３】
2004278018.tif 000005
【図４】
2004278018.tif 000006
【図５】
2004278018.tif 000007
【図６】
2004278018.tif 000008
【図７】
2004278018.tif 000009
【図８】
2004278018.tif 000010
【図９】
2004278018.tif 000011
【図１０】
2004278018.tif 000012
【図１１】
2004278018.tif 000013
【図１２】
2004278018.tif 000014
【図１３】
2004278018.tif 000015
【図１４】
2004278018.tif 000016
【図１５】
2004278018.tif 000017
【図１６】
2004278018.tif 000018
【図１７】
2004278018.tif 000019
【図１８】
2004278018.tif 000020
【図１９】
2004278018.tif 000021
【図２０】
2004278018.tif 000022
【図２１】
2004278018.tif 000023
【図２２】
2004278018.tif 000024
【図２３】
2004278018.tif 000025
【図２４】
2004278018.tif 000026
【図２５】
2004278018.tif 000027
【図２６】
2004278018.tif 000028
【図２７】
2004278018.tif 000029